【手続補正書】
【提出日】平成26年3月26日(2014.3.26)
【手続補正１】
【補正対象書類名】明細書
【補正対象項目名】０００１
【補正方法】変更
【補正の内容】
【０００１】
本発明は、一般的には冷却システムに関し、より具体的には、複数の製品コンパートメントを有する、低コスト・低エネルギー消費のチェスト型冷却機に関する。
【手続補正２】
【補正対象書類名】明細書
【補正対象項目名】００１８
【補正方法】変更
【補正の内容】
【００１８】
上部ドア１７０及び前面ドア２６０は、表面にロッキング装置を有していてよい。１つ又は２つ以上のチェスト型冷却機１００を積み重ねてもよいし、複数のチェスト型冷却機１００を横に並べてもよい。製品１０は、バスケットの中に配置してよい。バスケットは、「先入れ先出し」用の格納ができるように、第１製品コンパートメント１５０及び／又は第２製品コンパートメント１６０から取り出し可能であるようにしてもよい。他の種類の格納技術も、本発明において用いることができる。
【手続補正３】
【補正対象書類名】明細書
【補正対象項目名】００２３
【補正方法】変更
【補正の内容】
【００２３】
図６Ａ及び図６Ｂに示すように、可変棚４１０は、第１製品コンパートメント３９０の高さを減らすために第１の可変棚受けレッジ４３０の上に配置することができる。上部ドア１７０を使用するので、必要な隙間２５はより小さくて済むであろう。また、こうして生じた余分の空間により、第２製品コンパートメント４００の中の製品１０を、前面ドア３６０を通して明瞭に見ることができる。また、図７Ａ及び図７Ｂに示すように、可変棚４１０は、第２製品コンパートメント４００のサイズを減らすために第２の可変棚受けレッジ４４０の上に配置することができる。このようにして、可変高さの製品コンパートメント３８０は、可視性を増大させるのみならず、高さが互いに異なっていたり複数の列であったりする製品１０を中に収容することを可能にする。たとえば、第１製品コンパートメント３９０は製品１０を２列含み、第２製品コンパートメント４００は製品１０を３列含むようにすることができるし、その反対にすることもできる。他の部品も他の構成も、本発明において用いることができる。
【手続補正４】
【補正対象書類名】明細書
【補正対象項目名】００２７
【補正方法】変更
【補正の内容】
【００２７】
したがって、アンカー５２０は、チェスト型冷却機５１０の適正な姿勢を確実にしながらチェスト型冷却機５１０を屋外またはその他の場所に安定に設置することを可能にする。このような所定の高さ５３０及び所定の長さ５４０は、冷却装置１２０の適正な運転のための十分な空間を提供することを可能にし、洪水などを避けることを可能にし、及び／又は、中にある製品１０に十分な可視性を与えることができる。他の種類の取付け手段も、本発明において用いることができる。
【手続補正５】
【補正対象書類名】特許請求の範囲
【補正対象項目名】全文
【補正方法】変更
【補正の内容】
【特許請求の範囲】
【請求項１】
複数の製品を分配するためのチェスト型冷却機であって、
外側フレーム、
外側フレームの内側に縦に並べられた複数の製品コンパートメント、
上部ドア、及び
前面ドア
を包含し、
前面ドアは透明なパネルを含み、
該複数の製品の一部又は全部は、上部ドア又は前面ドアを介して接近可能であり、且つ、該透明なパネルを通して可視であり、 
該複数の縦に並べられた製品コンパートメントのうち１つ又は２つ以上が、該製品コンパートメントの第１端から第２端へ向かって、前面ドアの方向に、上方に且つ真っ直ぐに伸びる傾斜した方向性を有する 
ことを特徴とするチェスト型冷却機。
【請求項２】
該複数の縦に並べられた製品コンパートメントが、第１製品コンパートメントと第２製品コンパートメントとを含むことを特徴とする、請求項１に記載のチェスト型冷却機。
【請求項３】
上部ドアが第１製品コンパートメントの近傍に位置し、前面ドアが第１製品コンパートメントと第２製品コンパートメントとの近傍に位置することを特徴とする、請求項２に記載のチェスト型冷却機。
【請求項４】
第１製品コンパートメントの近傍に位置する前面パネルをさらに包含することを特徴とする、請求項２に記載のチェスト型冷却機。
【請求項５】
該複数の縦に並べられた製品コンパートメントのうち１つ又は２つ以上が可変高さの製品コンパートメントであることを特徴とする、請求項１に記載のチェスト型冷却機。
【請求項６】
可変高さの製品コンパートメントが可変棚と複数の可変棚受けレッジとを含むことを特徴とする、請求項５に記載のチェスト型冷却機。
【請求項７】
複数の製品を分配するためのチェスト型冷却機であって、 
外側フレーム、 
外側フレームの内側に位置する複数の製品コンパートメント、 
上部ドア、及び 
前面ドア 
を包含し、 
前面ドアは透明なパネルを含み、 
該複数の製品コンパートメントのうち１つ又は２つ以上が、該製品コンパートメントの第１端から第２端へ向かって、前面ドアの方向に、上方に且つ真っ直ぐに伸びる傾斜した方向性を有する
ことを特徴とする、チェスト型冷却機。
【請求項８】
該外側フレームが表面にボトル開封装置を有することを特徴とする、請求項１に記載のチェスト型冷却機。
【請求項９】
台座をさらに包含し、該外側フレームが台座の上に位置することを特徴とする、請求項１に記載のチェスト型冷却機。
【請求項１０】
台座が内部に貯蔵区域を有することを特徴とする、請求項９に記載のチェスト型冷却機。
【請求項１１】
アンカーをさらに包含し、アンカーが該外側フレームに取り付けられていることを特徴とする、請求項１に記載のチェスト型冷却機。
【請求項１２】
アンカーが所定の高さと所定の長さを有することを特徴とする、請求項１１に記載のチェスト型冷却機。
【請求項１３】
該上部ドアと該前面ドアとがガスケット層を含むことを特徴とする、請求項１に記載のチェスト型冷却機。
【請求項１４】
該外側フレームが表面にメッセージ表示を有することを特徴とする、請求項１に記載のチェスト型冷却機。
【請求項１５】
該外側フレームが曲線形状を有することを特徴とする、請求項１に記載のチェスト型冷却機。
【請求項１６】
複数の製品を分配するためのチェスト型冷却機であって、 
外側フレーム、 
外側フレームの内側に位置する、圧縮機を含む冷却装置、 
外側フレームの内側に位置する第１製品コンパートメント、 
第１製品コンパートメントの近傍に位置する上部ドア、 
外側フレームの内側であって第１製品コンパートメントの下に位置する第２製品コンパートメント、及び 
第１製品コンパートメントと第２製品コンパートメントとの近傍に位置する前面ドア 
を包含し、 
前面ドアは透明なパネルを含み、 
第２製品コンパートメントが、第１端から第２端へ向かって、前面ドアの方向に、上方に伸びる傾斜した方向性を有し、 
該複数の製品の一部又は全部は、上部ドア又は前面ドアを介して接近可能であり、且つ、該透明なパネルを通して可視である 
ことを特徴とするチェスト型冷却機。
【請求項１７】
第１製品コンパートメントと第２製品コンパートメントとが可変高さの製品コンパートメントであることを特徴とする、請求項１６に記載のチェスト型冷却機。
【請求項１８】
可変高さの製品コンパートメントが可変棚と複数の可変棚受けレッジとを含むことを特徴とする、請求項１７に記載のチェスト型冷却機。
【請求項１９】
第１製品コンパートメントと第２製品コンパートメントとが、前面ドアの方向に、上方に伸びる傾斜した方向性を有することを特徴とする、請求項１７に記載のチェスト型冷却機。
【請求項２０】
該外側フレームが曲線形状を有することを特徴とする、請求項１６に記載のチェスト型冷却機。
【請求項２１】
複数の製品を分配するためのチェスト型冷却機であって、 
上側面に上部ドアを有する第１製品コンパートメント、及び 
前側面に前面ドアを有する第２製品コンパートメント 
を包含し、 
第２製品コンパートメントは、第１端から第２端へ向かって、前面ドアの方向に、上方に伸びる垂直に傾斜した床を有し、それにより、該複数の製品のうちの一部の製品が、該垂直に傾斜した床の上に位置することができ、且つ、前面ドアを通して可視であるように構成されている 
ことを特徴とするチェスト型冷却機。
【請求項２２】
該複数の製品のうちの他の一部の製品が、第１製品コンパートメントの中で実質的に水平な姿勢を有することを特徴とする、請求項２１に記載のチェスト型冷却機。
【請求項２３】
冷却装置をさらに含むことを特徴とする、請求項２１に記載のチェスト型冷却機。
【請求項２４】
第１製品コンパートメントが平坦なレッジを含むことを特徴とする、請求項２１に記載のチェスト型冷却機。
【請求項２５】
第１製品コンパートメントがコンパートメント間仕切りを有することを特徴とする、請求項２１に記載のチェスト型冷却機。
【請求項２６】
複数の接近場所をさらに含むことを特徴とする、請求項２１に記載のチェスト型冷却機。